(57)【要約】本発明の女性用コンドーム（２６、２２６）は、開口端（３４、２３４）、閉鎖端（３６、２３６）、およびその間に縦方向に延びる管状体（３２、２３２）を備えるポーチ（３０、２３０）を有する。この管状体は、内側および外側を備える壁を有する。本発明の女性用コンドームは、ポーチの閉鎖端に連結され、ポーチの外部に設置され、閉鎖端で管状体から離れて縦方向に延びるアンカーも含む。このアンカーは、コンドームが挿入される膣の壁と管状体の外側との間に真空を形成することができる。
2008534070.tif 000002
【特許請求の範囲】
【請求項１】
女性用コンドームであって、
開口端、閉鎖端、および該開口端と該閉鎖端との間に縦方向に延びる管状体であって、内側および外側を備える壁を有する管状体を備えるポーチと、
該ポーチの該閉鎖端の外部に連結され、該閉鎖端で該管状体から縦方向に離れて延びるアンカーであって、該コンドームが挿入される膣の壁と該管状体の外側との間に、少なくとも部分的真空を形成することが可能な該アンカーと、
を備える、女性用コンドーム。
【請求項２】
前記アンカーは、前記コンドームの膣への挿入中に、前記真空を形成するよう圧縮される、請求項１に記載のコンドーム。
【請求項３】
前記アンカーの前記圧縮は、流体を該アンカー内から膣外部に排出する、請求項２に記載のコンドーム。
【請求項４】
それを貫く穴を有するフレームをさらに備え、前記ポーチの前記開口端は、該フレームの該穴周囲に付着される、請求項１に記載のコンドーム。
【請求項５】
前記ポーチの前記穴および前記開口端は、前記管状体の前記内側への通路を提供する、請求項４に記載のコンドーム。
【請求項６】
前記真空は、前記コンドームが膣に挿入されるとき、前記フレームを前記アンカーに向けて引っ張る、請求項４に記載のコンドーム。
【請求項７】
前記フレームは、前記コンドームの膣への挿入時および性交中に、該フレームが膣外部の女性の解剖学的構造に接したとき、女性の陰核と合うポケットをさらに備える、請求項４に記載のコンドーム。
【請求項８】
前記フレームは、前記ポケット内に刺激装置をさらに備える、請求項７に記載のコンドーム。
【請求項９】
前記刺激装置はバイブレータである、請求項８に記載のコンドーム。
【請求項１０】
前記刺激装置は１組の可動リングを含む、請求項８に記載のコンドーム。
【請求項１１】
前記刺激装置は、ロータに取り付けられたスリーブを含む、請求項８に記載のコンドーム。
【請求項１２】
前記刺激装置はオフセットロータ軸を含む、請求項８に記載のコンドーム。
【請求項１３】
前記ポーチは、前記管状体に連結された刺激装置をさらに備える、請求項１に記載のコンドーム。
【請求項１４】
前記ポーチは、前記閉鎖端に連結された刺激装置をさらに備える、請求項１に記載のコンドーム。
【請求項１５】
前記アンカーはスポンジである、請求項１に記載のコンドーム。
【請求項１６】
前記アンカーはカップである、請求項１に記載のコンドーム。
【請求項１７】
前記管状体は伸縮性である、請求項１に記載のコンドーム。
【請求項１８】
前記管状体は、膣管の縦方向長さ以下の縦方向長さを有する、請求項１に記載のコンドーム。
【請求項１９】
前記管状体の前記壁は、前記開口端と前記閉鎖端との間に縦方向に延びる際に真っ直ぐである、請求項１に記載のコンドーム。
【請求項２０】
前記管状体の前記壁は、前記開口端と前記閉鎖端との間に縦方向に延びる際に蛇腹状である、請求項１に記載のコンドーム。
【請求項２１】
前記管状体の外側は潤滑される、請求項１に記載のコンドーム。
【請求項２２】
前記管状体の前記閉鎖端の前記内部に付着されたクッションをさらに備える、請求項１に記載のコンドーム。
【請求項２３】
前記クッションは、前記コンドームの膣への挿入を容易にするために、使用者の指を収容するくぼみをさらに備える、請求項２２に記載のコンドーム。
【請求項２４】
前記クッションは、性交中の陰茎の内向き動作により圧縮される、請求項２２に記載のコンドーム。
【請求項２５】
請求項１に記載のコンドームを含むキット、および該コンドームの使用説明書。
【請求項２６】
前記キットは前記コンドームを無菌環境で含む、請求項２５に記載のキット。
【請求項２７】
前記キットは潤滑剤を含む、請求項２５に記載のキット。
【請求項２８】
女性用コンドームであって、
開口端、閉鎖端、および該開口端と該閉鎖端との間に縦方向に延びる管状体であって、内側および外側を備える壁を有する管状体を備えるポーチと、
カバー部であって、該カバーはそれを貫く穴を有し、該ポーチの該開口端が該カバーの該穴周囲に付着される、該カバー部と、
該カバーに付着されたウエストバンドであって、該バンドは、該カバーで使用者の会陰の恥骨部から肛門部までを覆い、該ポーチの該開口端を該使用者の膣の開口部と合わせるよう女性使用者のウエスト周囲に配置され、また該閉鎖端は、該ポーチが挿入される膣の壁と該管状体の外側との間に、少なくとも部分的真空を形成することが可能である該ウエストバンドと、
を備える、女性用コンドーム。
【請求項２９】
前記ポーチの挿入は、流体を膣内から膣外に排出する、請求項２８に記載のコンドーム。
【請求項３０】
前記管状体は伸縮性である、請求項２８に記載のコンドーム。
【発明の詳細な説明】
【技術分野】
【０００１】
（発明の背景）
本出願は、米国仮特許出願第６０／６６４，７４１号（２００５年３月２４日出願）、米国仮特許出願第６０／６７６，８８７号（２００５年５月２日出願）、米国仮特許出願第６０／６７８，８２６号（２００５年５月６日出願）、米国仮特許出願第６０／７００，８５３号（２００５年７月２１日出願）、および米国仮特許出願第６０／７０５，２６９号（２００５年８月４日出願）の優先権を主張する。またこれらそれぞれは、その全体が参考として本明細書中に援用される。
【０００２】
（発明の分野）
本発明は、一般に予防装置に関するものであり、さらに具体的には、ポーチ部およびポーチ保持装置を備える女性用コンドームに関する。
【背景技術】
【０００３】
（発明の背景）
後天性免疫不全症候群（ＡＩＤＳ）を含む性感染症（ＳＴＤ）の蔓延に伴い、性交中の体液の交換、またその結果生じるＳＴＤ感染を予防するための効果的な手段に対する必要性がますます高まっている。この目的を達成するための１つの方法は、男性と女性の性器の間に効果的な障壁を導入することである。これまで、かかる障壁を形成するための従来の手段には、男性用コンドーム、ペッサリー、予防ゲル、クリームなどの使用があった。
【０００４】
また、性交前に女性が装着し、使用後に廃棄される女性用予防装置の提供も提案されてきた（女性版コンドーム、一般に性交前に膣内に挿入される閉鎖端を有するポーチと、ポーチを所定の位置に確保し、使用中の離脱を避けるための保持装置とを含む）。かかる提案はその意図する目的には適しているが、さまざまな理由から完全に有効ではないことがわかってきた。
【０００５】
現在入手できる女性用コンドームが、広範な使用と支持を達成できない１つの理由として、所定の位置に十分に固定して、使用中の離脱を防止することができなかったことが挙げられる。性交中、勃起した陰茎の外向き動作は、コンドームポーチを移動させ、ポーチの閉鎖端と陰茎の先端との間に陰圧を生成した結果として膣管から引き抜いてしまう傾向がある。この陰圧は、コンドームの閉鎖端が陰茎の外向き動作中に膣から引き出される結果をもたらす。
【０００６】
現在入手できる女性用コンドームが完全に有効でない他の理由としては、さまざまな姿勢での性交中に、十分な防御を提供しないことがある。例えば、性交中の女性パートナーの態勢によって、膣管の長さは変化する。例えば、腹臥位（女性上位）では、吊るされた頚部が前方に移動するため、膣管の長さは短くなり、一方、仰臥位（女性下位）では、頚部が後方位に移動するため、膣管の長さは長くなる。既存の女性用コンドームは、性交中の膣管の長さの変化に対応してその長さを変化させるよう設計されていないため、不具合と不都合を生じる。
【０００７】
現在入手できる女性用コンドームが、広範な使用と支持を達成できない３つめの理由は、性交中にパートナーそれぞれが到達する快楽を高めることなく、むしろ通常低下させることである。
【０００８】
そのため、膣内に確実に保持され、長さが可変であり、また性交中に性器に刺激も提供する女性用コンドームを提供できることは有益である。
【発明の開示】
【発明が解決しようとする課題】
【０００９】
（発明の要旨）
膣内に確実に保持され、長さが可変であり、また性交中に性器に刺激も提供してよい女性用コンドームを提供することは、本発明の目的である。
【課題を解決するための手段】
【００１０】
本発明に従うと、ポーチを含む女性用コンドームが提供される。ポーチは、開口端、閉鎖端、および開口端と閉鎖端との間に縦方向に延びる管状体を有する。管状体は、内側および外側を備える壁を有する。本発明の女性用コンドームは、ポーチの閉鎖端に連結され、ポーチの外部に設置され、閉鎖端で管状体から離れて縦方向に延びるアンカーも含む。アンカーは、コンドームが挿入される膣の壁と管状体の外側との間に真空を形成することができる。
【発明を実施するための最良の形態】
【００１１】
（発明の詳細な説明）
本発明は、開口端、閉鎖端、開口端と閉鎖端との間に縦方向に延びる管状体を備える女性用コンドームを提供する。本発明の女性用コンドームは、ポーチの閉鎖端に連結されるアンカーも含む。アンカーは、ポーチ外部に位置し、ポーチの閉鎖端で管状体から離れて縦方向に延びる。アンカーは、コンドームが挿入される膣の壁と管状体の外側との間に、真空を形成させることができると考えられる。望ましくは、アンカーは、流体をアンカー内から膣外に排出することにより、真空を形成できるよう、コンドームの膣への挿入中に圧縮される。
【００１２】
コンドームは、穴を有するフレームを含むことが望ましい。コンドームの開口端は、フレームの穴の周囲に連結され、管状体の内側への通路を提供することが望ましい。フレームは、コンドームの膣への挿入時に、膣外部の女性の解剖学的構造に接することが望ましい。圧縮されたアンカーによって生成されることが可能な真空が、アンカーに向けてフレームを引っ張ることが望ましい。管状体は、性交および陰茎の突きの最中に変化する膣管の長さと一致してその長さを変化させるよう、伸縮性であることが望ましい。フレームは、コンドームの膣への挿入時に、フレームが膣外部の女性の解剖学的構造に接したとき、女性の陰核と合うポケットも含んでよい。フレームは、コンドームの使用中に陰核を刺激するための刺激装置をポケット内に含むことも望ましい。
【００１３】
ここで図１〜１５を参照して本発明を説明する。
【００１４】
図１は、臍３、恥骨４、脚５、陰核６、尿道８、グレフェンベルクスポット（Ｇスポット）１０、膀胱１２、膣１４、卵管１６、子宮１８、子宮内膜腔２０、頚部２２、円蓋後部２３、および直腸２４の相対的位置を示し、女性の骨盤部２の断面を図解する。本発明による女性用コンドーム２６の望ましい実施形態は、膣１４の管に挿入される。
【００１５】
図２Ａ〜４Ｃにも図解されるように、コンドーム２６は、穴を有する外フレーム２８を含む。フレーム２８は、フレームが膣１４外部の女性の解剖学的構造における膣口周囲に接するのを可能にする、希望するいかなる適切な形状に形成されてもよい。フレーム２８は、図２Ａに示されるように、解剖学的に設計された三角形またはかかる幾何学的形状として形成される。例えば、図２Ｂに図解されるような収縮形状では、フレーム２８は、膣１４外部の女性の解剖学的構造により適合するよう、曲面あるいは円蓋状となるよう外形を付けてよい。このフレーム２８の外形は、フレーム２８の膣１４外部の女性の解剖学的構造に接する側が略凹状である（例として図１参照）。フレーム２８は、容易に変形するのに十分な柔軟性を有するが、あらゆる変形圧力を除外したあと、フレーム２８を最初の収縮形状に戻すためのばね付勢を有するのに十分なほど硬く、弾力がある、いかなる適切な弾性ポリマー材料で形成されてもよい。フレームに使用されるプラスチック以外の望ましい材料には、例えばゴム、熱可塑性エラストマー、または類似の物質がある。フレーム２８は、射出成形、または希望の形状に接合および成形される先端を有する押出管アセンブリ内に柔軟な硬化ロッドを挿入することによるなど、当技術分野で周知のその他の適切な手段により形成されてよい。
【００１６】
コンドーム２６は、開口端３４、閉鎖端３６、および開口端３４と閉鎖端３６との間に縦方向に延びる弾性の管状体部３２を有するポーチ３０も含む。ポーチ３０は、圧延接合鋳造、熱融着、接着、またはその他の既知の方法により、その開口端３４でフレーム２８に連結されてよい。望ましくは、ポーチ３０の開口端３４は、開口端３４近接の管状体部３２が、フレーム２８の周囲に少なくとも３回巻かれる単純なロールオン作業により、フレーム２８に付着される。
【００１７】
ポーチ３０の管状体部３２は、例えば、天然ゴム（ラテックスなど）、合成ゴム（シリコンゴムまたはネオプレンなど）、ポリウレタン、およびその他の伸縮性物質（熱可塑性ポリオレフィンエラストマーなど）などの、適切な任意の伸縮性かつ不透水性の膜材料から形成されることが望ましい。その他の管状体部３２に使用できる材料には、さまざまな熱可塑性材料（ポリエチレンなど）などの非伸縮性物質が含まれる。複数の蛇腹状の渦巻または襞３８は、管状体部３２の全長に沿って形成され、ポーチ３０の伸縮性を向上させ、同時に性交中に陰茎に刺激も提供し、ポーチ３０の膣１４の壁に対する適合を可能にすることが望ましい。渦巻３８は、円状であることが望ましく、ばね様の方式で作用するよう形成され、それにより、陰茎などの挿入によってポーチ３０が縦方向に（ポーチ３０の長手方向に沿って、矢印３７の方向に）延ばされ、伸長形状（例として図２Ｃ参照）となった場合に、ポーチ３０は、陰茎の抜去のあと、縦方向の（ポーチ３０の長手方向に沿って、矢印３９の方向の）ばね様付勢により、最初の非伸長形状（例として図２Ｂ参照）に戻る。
【００１８】
コンドーム２６は、ポーチ３０の閉鎖端３６の外部に連結され、閉鎖端３６で管状体部３２から離れて縦方向に延びるアンカー４０も含む。アンカー４０は、機械的に、または鋳造、熱融着、接着、あるいはその他あらゆる既知の方法により、ポーチ３０の閉鎖端３６に連結されてよい。図１〜２Ｃに示される望ましい実施形態では、ポーチ３０の接合部３７は、アンカー４０を貫いて、閉鎖端３６に連結されて延び、小アンカー３９がそれ自体を大アンカー４０内に固定することにより保持される。
【００１９】
アンカー４０は、望ましくは、適切な圧縮性および弾性の塊、あるいは海綿材料、または孔隙あるいはセル（セル４２など）を有する適切な軟らかい多孔質のスポンジ様天然または合成材料など、多孔質のスポンジ様材料から形成されてよい。適切な材料は、後述するように、小型形状に圧縮可能で、流体の吸収時に弾性的に膨張可能な、海綿材料、軟性ゴム開放格子材料、開放セル発泡型のポリウレタンラテックスフォームなどを含む。孔隙または多孔質セル４２は、潤滑剤、殺精子剤、殺真菌剤、殺菌剤、または抗ウイルス剤を含浸させて、そこから徐々に放出させることで、希望により使用者を防御することができる。
【００２０】
アンカー４０は、スポンジであっても、あるいは例えばＵ字型、Ｖ字型、または円筒型などのあらゆる適切な大きさおよび形状の吸着カップ装置であってもよいが、これは、アンカー４０との接触によって膣１４に起きる可能性があるあらゆる擦過傷を軽減または防止するために、滑らかであるが開口部を備えた被覆を施してよい。
【００２１】
図１〜４Ｃに示される望ましい実施形態では、アンカー４０は円筒型であり、さまざまな大きさの多孔質気泡４２を備える。アンカー４０の直径４１（例として図２Ｂ参照）は、膣１４の管内に無理なく挿入でき、また頚部２２付近の円蓋後部２３で保持できるよう、ポーチ３０の直径より大きい、小さい、あるいは同じであってよいが、これはさらに詳しく後述する。アンカー４０は、望ましくは、アンカー４０が圧縮されたときに、コンドーム２６の希望の長さを得るために、例えば０．５〜２．５インチの範囲の厚み４３（例として図２Ｂ参照）を有してよいが、これはさらに詳しく後述する。
【００２２】
さらに、コンドーム２６は、望ましくは、ポーチ３０の管状体部３２内側内の閉鎖端３６にクッション４４を備えてよい。クッション４４は、例えばアンカー４０の材料同様の多孔質スポンジなど、いかなる適切な圧縮性材料であってもよく、またポーチの閉鎖端の陥凹に挿入されることにより、ポーチに連結されてよい。クッション４４は、性交中の陰茎の内向き動作時に、陰茎の先端により圧縮され、それにより、続く陰茎の外向き動作時に、陰茎の先端（陰茎亀頭５１）とポーチ３０の閉鎖端３６との間に、真空が生成されない、あるいは最小限のみ生成されるが、これはさらに詳しく後述する（例として図４Ｂおよび４Ｃ参照）。ポリウレタンまたはラテックスなどの適切な材料から作られた滑らかであるが開口部を備えた薄膜被覆は、クッション４４との接触により陰茎に起きるあらゆる擦過傷を軽減または防止するために、クッション４４を覆ってよい。クッション４４は、望ましくは、ポーチ３０の開口端３４に面するクッション４４の外面に形成される挿入くぼみ４６を有してもよい。挿入くぼみ４６は、別の挿入具が必要とならないよう、使用者の指を収容するように配置され、コンドーム２６の膣１４への挿入を容易にすることが望ましい（例として図３および４Ａ参照）。さらにクッション４４は、コンドーム２６の膣１４への挿入中に使用者の指、または性交中に陰茎が、ポーチ３０の閉鎖端３６を誤って貫通しないことを確実にしてよい。
【００２３】
このように、コンドーム２６は、図３に図解されるように、１本以上の指４８をフレーム２８の穴とポーチ３０の開口端３４を通して、管状体部３２の内側へと挿入、また望ましくは回転させることにより、そして閉鎖端３６およびアンカー４０を膣１４の管に押し込むことにより、膣１４に挿入され、図１および３に図解されるように設置されてよい。少なくとも１本の指４８の先端が、円蓋後部２３付近の膣１４の管の末端で、アンカー４０を頚部２２に向かって押すことで、アンカー４０が圧縮されてそこから流体を排出し、それにより、アンカー４０およびコンドーム２６の閉鎖端３６を膣１４内に保持するよう、膣１４の壁と管状体部３２の外側との間に真空を生成してよいが、これはさらに詳しく後述する（例として図４Ａ〜４Ｃ参照）。
【００２４】
図４Ａに示されるように、指４８が、望ましくはクッション４４のくぼみ４６に接することにより、閉鎖端３６およびアンカー４０を、膣１４の管を通して矢印４７の方向に押すとき、アンカー４０は、管末端に向かって、望ましくは頚部２２で圧縮される。このアンカー４０の圧縮は、空気または膣１４内のあらゆる自然分泌液など、既にアンカー４０に吸収または含まれたあらゆる流体５０を、膣１４の壁５４とコンドーム２６の管状体部３２の外壁５６とに画定される通路５２を通して、矢印４９の方向に、アンカー４０からだけでなく、膣１４からも排出する。
【００２５】
この膣１４からの流体の排除５０により、通路５２内の圧力は降下し、そこに少なくとも部分的真空を生成し、同時にアンカー４０の圧縮は、その最初の厚み４３（例として図２Ｂおよび４Ａ参照）を圧縮された厚み４３’（例として図４Ｂ参照）まで減少させる。この真空は、アンカー４０の厚みの減少と相まって、図４Ｂに示されるように、フレーム２８を、矢印４７の方向に、アンカー４０に向かって、また膣１４外部の女性の解剖学的構造に接触して引っ張り、それにより、あらゆる流体５０が、膣１４に再侵入し、アンカー４０に再吸収されるのを防ぎ、膣１４の管末端に接触する圧縮されたアンカー４０を保持するために真空を維持する。
【００２６】
潤滑は望ましくは、膣１４の壁５４との効果的な封止剤として働くように管状体部３２の外側壁５６上に提供することができ、それによって真空を維持する補助をする。この目的のためにはいずれの適切な潤滑を使用することができるが、潤滑の種類は望ましくは、管状体部３２を形成するために使用される材料によって変わる。例えば、シリコーン油潤滑剤は管状体製のラテックスと併用することが望ましい一方で、鉱化油が熱可塑性管状体を伴う使用に対して望ましい潤滑とすることもできる。潤滑は望ましくは、性交中の勃起した陰茎の快適な貫入を提供するように、管状体部３２の内側壁上にも提供することができる。
【００２７】
アンカー４０が膣１４の管の端に対して押し付けられて圧迫されると、コンドーム２６の開口端３４が陰茎を受け入れて性交を開始することができる。上述のとおりに、好ましい実施形態において、開口端３４は最初はフレーム２８の形状のために略三角形開口部として始まり（図２Ａなどを参照）、好ましい実施形態における円形または円筒型形状で示されるが、あらゆる所望の断面形状にすることができる管状体３２へと移行する。さらに、上述のとおりに、渦巻３８は望ましくは、管状体３２の長さにそって形成することができ、その元の収縮形状（図２Ｂなどを参照）でコンドーム２６を保持する働きをすることができる一方で、性交中に刺激を陰茎に提供して性交の前および最中に膣１４の壁へのポーチ３０の適合性を可能にもする。正常な膣管は通常２から３インチの長さであるが、性交中の陰茎による貫入は、パートナーの性器の構造によって、膣管の長さを６から７インチまで増加させる可能性がある。望ましくは、コンドーム２６の管状体部３２は、陰茎の挿入の前の膣１４の管の縦方向長さ１５（図４Ａなどを参照）と同等であるか、またはそれより短い、その元の収縮形状（図２Ｂなどを参照）における縦方向長さ２７を有するよう構成される。
【００２８】
図４Ｂで図示されるとおりに、陰茎５８が性交中にコンドーム２６の開口端３４に挿入されると、陰茎５８は、矢印５７の方向に膣１４に内側に向かって入り込み、それによって望ましくはクッション４４を含む。陰茎５８のこの内側へ向かった運動は、陰茎５８の貫入が膣１４の管の縦方向長さ１５を増加させるかどうかによって（つまり図４Ｂの長さ１５’まで）、アンカー４０をさらに圧迫し、および／または完全圧迫されたアンカー４０をさらに膣１４内へと押し込む。陰茎５８の内側へ向かった運動によるアンカー４０の付加的圧縮は望ましくは、アンカー４０によって以前吸収された残りの流体５０をアンカー４０および膣１４の内側から排出させる（図４Ａについて上述のとおり）。
【００２９】
図４Ｂに示されるとおりに、アンカー４０が陰茎５８の内側へ向かった運動によってさらに膣１４内へと押し込まれると、渦巻３８および／または単に管状体３２の材料の弾性および弾力性が、ポーチ３０が矢印５５の方向でその伸長形状（図２Ｃなども参照）に伸びることを可能にする。よって、性交中に膣管が伸長するのと同じ方法で、ポーチ３０も伸長する。同様に、膣管が陰茎を引き抜くことによって短縮すると、ポーチ３０も矢印５５の方向と反対の縦方向に短縮する（図４Ｃなどを参照）。
【００３０】
図４Ｂをさらに参照して、矢印５７の方向でのその内側に向かった運動中に、陰茎５８は望ましくは、閉鎖端３６およびアンカー４０に対するクッション４４を圧迫する。クッション４４のこの圧縮は、陰茎５８の先端に快適性を提供することができるだけでなく、望ましくは、以前クッション４４によって吸収された流体６０を、矢印５９の方向で陰茎５８およびコンドーム２６の管状体部３２の内側壁６４によって定義される通路６２内へとクッション４４から排出させることができる。
【００３１】
図４Ｃに図示されるとおりに、陰茎５８は、性交中に矢印６７の方向での膣１４から外側へ向かった運動によって、コンドーム２６の開口端３４から少なくとも部分的に引き抜かれ、それによって望ましくはクッション４４を少なくとも部分的に減圧する。クッション４４のこの減圧は望ましくは、矢印６９の方向でクッション４４によって再吸収される流体６０を許容し、それによって、アンカー４０によって生じる真空を圧倒し、よってその保持状態からアンカー４０を解放した可能性のある陰茎５８の外側に向かった動きの間に、陰茎５８の先端とコンドーム２６の閉鎖端３６との間に生じる相当な陰圧を防止する。陰茎５８を引き抜くことによって膣管が短縮すると、渦巻３８および／または単に管状体３２の材料の弾性および弾力性が、ポーチ３０が矢印６５の方向でその元の収縮形状（図２Ｂなども参照）に向かって縮まることを可能にする。
【００３２】
ポーチ３０の弾力性は、前記コンドームをその元の収縮形状に戻すためのコンドーム２６の縦方向の収縮性付勢を大いに増大させる。この縦方向ばね付勢はアンカー４０の保持特性と組み合わせて、膣管が陰茎５８の内側に向かった運動中に伸長される場合だけでなく（図４Ｂなどを参照）、膣管が陰茎を少なくとも部分的に引き抜くことによって短縮される場合にも（図４Ｃなどを参照）、フレーム２８が膣１４外部の女性の解剖学的構造と接触を続けることができるようにする。
【００３３】
フレーム２８はまた望ましくは、図２Ｂについて上述するとおり、それと関連したばね付勢輪郭を有する。このばね付勢輪郭は、コンドーム２６が膣１４に挿入された時に膣１４外部の女性の解剖学的構造とより良く接触を保持するように、フレーム２８の屈曲を可能にすることができるだけでなく、縦方向でのポーチ３０に対する付加的な収縮性付勢を可能にし提供することもできる。フレーム２８は望ましくは、図２Ｃおよび４Ｂに図示されるとおりに、性交中にさらなる密接を提供するために、男性による貫入中に平らになるよう、そして図２Ｂおよび４Ｃで図示されるとおりに、陰茎を引き抜いた後にその元の輪郭形状に戻るよう十分に弾性がある。
【００３４】
他の実施形態において、本発明の前記女性用コンドームは、平坦フレームなど輪郭をもたないフレーム、または円形または六角形などの三角形以外の形状の輪郭を持つフレームとともに使用することができる。
【００３５】
もう１つの他の実施形態において、本発明の前記女性用コンドームは、高弾性のラテックス、または上述のとおりに陰茎がその中に挿入されると少なくとも縦方向に伸び、陰茎がそこから引き抜かれると元の収縮形状に跳ね返ることができる同様の材料で形成される複雑な管状体を有するポーチを有することができる。
【００３６】
また、さらもう１つの他の実施形態において、本発明の前記女性用コンドームは、多孔質スポンジ様材料の円筒ではないが、その代わり吸引を用いて膣間の端に付着するプラスチックまたはゴムのカップ状装置であるアンカーを有することができる。
【００３７】
本発明の好ましい実施形態において、１つ以上の刺激装置を、性交中に感じられる快感を高めるように一方または両方のパートナーの１つ以上の性器に刺激を提供するために、前記女性用コンドームに連結することができる。様々な種類の刺激装置を、特定の方法で特定の性器を刺激するために、前記女性用コンドームの様々な位置で活用することができる。
【００３８】
本発明の特に好ましい実施形態において、前記コンドームの膣内への挿入の際に前記フレームが膣外部の女性の解剖学的構造に接触すると前記刺激器具が陰核と協調するように、刺激装置を本発明の前記女性用コンドームの前記フレームに連結することができる。図１〜４Ｃに図示されるとおりに、刺激器具はその他の実施形態において反対側またはフレーム２８の内側に連結することもできるが、刺激器具７０は望ましくは、膣１４外部の女性の解剖学的構造に接触するフレーム２８の側面に連結される。アンカー４０が膣１４内に保持されると、上述のとおりに、フレーム２８は膣外部の女性の解剖学的構造と接触する。よって、刺激器具７０は、コンドーム２６が使用中の全期間に陰核６に継続的な刺激を提供するように、フレーム２８上に位置付けることができる。パートナーの陰茎が弛緩してコンドーム２６のポーチ３０から完全に取り出された後も女性は刺激を受け続けることができるため、これは特に有益である。
【００３９】
さらに、上述のとおりに、フレーム２８は望ましくは男性による貫入中に平らになるよう十分に弾性があり、よって図２Ｃおよび４Ｂに図示されるとおりに、性交中にさらなる密接を提供し、そして図２Ｂおよび４Ｃで図示されるとおりに、陰茎を引き抜いた後にその元の輪郭形状に戻る。性交中のフレーム２８のこの屈曲は陰核６への刺激器具７０の近接性を変えることができ、それによって陰茎の内側に向かったまたは外側に向かった動きと調和して刺激器具７０によって陰核６に提供される刺激の量を変える。
【００４０】
刺激器具７０は、上述のとおりに、様々な手段でフレーム２８に連結することができる。一実施形態において、図５Ａおよび５Ｂに示されるとおりに、ループ７１は、性交中にそれで刺激器具７０を保持するための望ましくは長方形の細片７２によって提供される。細片７２は、薄いゴムまたはポリウレタン膜など、あらゆる適切な材料で作ることができ、コンドーム２６の開口端３４とともに細片７２をフレーム２８の周りで回転させることによって、または例えば接着剤または機械的止め金具によって細片７２をフレーム２８に取り付けることによってなどあらゆる適切な過程によってフレーム２８に連結してループ７１を作成することができる。刺激器具７０は望ましくは、刺激器具７０が性交中に刺激を提供するように、ループ７１内に滑り込ませてそれに保持されることができる。よって、刺激器具７０を再利用できるように、およびコンドーム２６を廃棄できるように、刺激器具７０は、コンドーム２６の使用中にループ７１内に保持され、性交後にループ７１から引き抜くことができる。あるいは、前記刺激器具は、使用後に前記コンドームとともに廃棄されるように前記コンドームの常置部分とすることができる。
【００４１】
もう１つの実施形態において、図６Ａおよび６Ｂに示されるとおりに、ポケット７４は、浸漬、熱融着、または接着剤による接合などあらゆる適切な過程によってフレーム２８に連結することができる。ポケット７４は望ましくは、それを通してポケット７４によって形成される陥凹または空洞７５の中へ刺激器具７０を通す開口部７３を含むことができる。よって、刺激器具７０を再利用できるように、およびコンドーム２６を廃棄できるように、刺激器具７０は、コンドーム２６の使用中にポケット７４内に保持され、性交後にポケット７４から引き抜くことができる。あるいは、前記刺激器具は、使用後に前記コンドームとともに廃棄されるように前記コンドームの常置部分とすることができる。
【００４２】
さらにもう１つの実施形態において、図７Ａおよび７Ｂに示されるとおりに、留め具７６は、フック、密封、機械的固定、またはあらゆるその他周知の過程によってフレーム２８に連結することができる。刺激器具７０を再利用できるように、およびコンドーム２６とともに留め具７６を廃棄できるように、刺激器具７０をコンドーム２６の使用中にフレーム２８に連結して性交後に留め具７６から解放できるよう留め具７６は望ましくは、刺激器具７０に解放可能に接続することができる。あるいは、刺激器具７０および留め具７６を再利用できるように、およびコンドーム２６を廃棄できるように、留め具７６をフレーム２８に解放可能に接続することができる。あるいは、前記刺激器具および留め具は、使用後に前記コンドームとともに廃棄されるようにそれぞれ前記コンドームの常置部分とすることができる。
【００４３】
さらにもう１つの実施形態において、図８Ａ〜８Ｃに示されるとおりに、コンドーム２６の使用中に刺激器具７０を袋７８内に保持できるように、袋７８は開口端３４の近くのポーチ３０に組み込むことができる。図示するとおりに、付加的材料がポーチ３０によって提供され、袋７８を作成することができる。使用者は刺激器具７０を袋７８内に挿入し、矢印７７の方向でそれをフレーム２８の周りに包み込こむことができ、それによって袋７８をきつく刺激器具７０およびフレーム２８の周りに引っ張り、およびそれによってコンドーム２６の使用中の刺激に対して適切な位置で刺激器具７０を保持する。よって、刺激器具７０を再利用できるように、およびコンドーム２６を廃棄できるように、刺激器具７０をコンドーム２６の使用中に袋７８内に保持して性交後に袋７８から引き抜くことができる。あるいは、前記刺激器具は、使用後に前記コンドームとともに廃棄されるように前記コンドームの常置部分とすることができる。
【００４４】
上記のとおりに、前記フレームに連結される陰核の刺激装置（刺激器具７０など）に加えて、またはその代わりに、１つ以上の刺激装置を、性交中に感じられる快感を高めるように一方または両方のパートナーの１つ以上の性器に刺激を提供するために、前記女性用コンドームのその他の部分に連結することができる。例えば、本発明の好ましい実施形態において、各刺激器具が、前記コンドームの膣内への挿入の際にそれが刺激するそれぞれの性器と協調できるように、刺激装置は、女性パートナーのグレフェンベルクスポット１０を刺激するために前記コンドームの前記ポーチの前記管状体部３２の長さに沿って（図１〜４Ｃの刺激器具８０などを参照）、および男性パートナーの陰茎亀頭５１を刺激するために前記ポーチの前記閉鎖端３６に（図１〜４Ｃの刺激器具９０などを参照）提供することができる。コンドームの長さ方向に設けられた刺激器具は、例えば成形されたときにポーチ内に形成された凹部に配置されてもよい。刺激器具はまた、例えば前記アンカーおよび／または前記女性用コンドームの前記クッションの内側に提供することもできる。
【００４５】
陰核の刺激器具７０について上記のとおりに、Ｇスポット刺激器具８０、陰茎亀頭刺激器具９０、または前記女性用コンドームのあらゆる場所におけるその他の種類の刺激器具の位置付けは望ましくは、前記女性用コンドームが膣１４内にある全期間に継続的な刺激をそれぞれの刺激器具の特定の性器に提供する。男性パートナーの陰茎が弛緩してコンドームから完全に取り出された後でさえも女性は前記女性用コンドームによって提供される前記刺激器具によって刺激を受け続けることができるため、これは特に有益である。
【００４６】
本発明の前記女性用コンドームは、性交中に感じられる快感を高めるように一方または両方のパートナーの１つ以上の性器に刺激を提供することができる１つ以上の刺激装置を備えることができる。例えば陰核の刺激器具７０、Ｇスポット刺激器具８０、および陰茎亀頭刺激器具９０を含む本発明の刺激器具はそれぞれ、電子装置（電池式バイブレータなど）または性交中に性器に刺激を提供することができる単に機械装置（突起部を有する軟質ゴム要素など）のいずれかにすることができる。
【００４７】
本発明の好ましい実施形態において、刺激器具として前記女性用コンドームに備えられる電子装置は望ましくは、最小抵抗で衝撃を提供する動いている物体を通して使用者と物理的接触をするという原則に基づいて作動する。一般的なバイブレータと異なり、この種類の刺激器具にはモータ軸に取り付けられる偏心重量がないが、その代わり望ましくは、ロータに取り付けられるオフセット軸がある。前記軸は、単一または複数のオフセットまたは非オフセット軸で、１つ以上の軸に取り付けられるのは望ましくは、その軸上に搭載されると自由に動くことができる１つ以上のスリーブである。電源である前記モータ、およびその軸は望ましくは、外容器に収容され、１つ以上の開口部は望ましくは前記容器に備えられて前記スリーブとその刺激に対する性器との間での直接接触を可能にする。
【００４８】
この好ましい実施形態において前記モータが作動中の場合、各スリーブは前記ロータ軸の周りを回転することができ、遠心力により、固定物体（刺激される性器など）と接触するまで外側へ向かって移動することができる。前記固定物体にぶつかると、前記スリーブは望ましくは、前記スリーブが前記物体との接触から解放されるまで、変形する前記スリーブによって、その軸の周りを滑動する前記スリーブによって、または自らを滑動させる前記軸によって、前記物体とのその接触を強制的に減少することができる。前記固定物体との接触から解放されると、前記スリーブは望ましくは、その軸の周りを回転しながらその外側に向かった移動に戻ることができる。外側に移動することから、前記固定物体との接触から解放されること、その外側に向かった移動に戻ることへの前記スリーブのこの動きは、前記刺激器具が最小抵抗を提供しながら前記軸の回転毎に固定物体と接触できるようにする。この接触が最小抵抗に対して行われると、前記刺激器具によって必要とされるエネルギーは非常に低く、前記固定物体との接触は非震動性である。
【００４９】
一実施形態において、図９Ａおよび９Ｂに示されるとおりに、本発明の刺激器具１００は、ロータアセンブリ１０３および電源１０５に連結されるモータ１０４をその中に収容する外容器１０１を有する。ロータアセンブリ１０３は望ましくは、モータ１０４の前記ロータと結合する二重オフセット軸固定具１０６を含む。各オフセット軸１０６は望ましくは、１つ以上の止め具１０８によってその上で適切な位置に保持することができる１つ以上の外側移動可能スリーブ１０７を有する。モータ１０４が電源１０５から電源を引き出し始めると、前記ロータは軸１０６を回転し始めてスリーブ１０７にその外側に向かった位置を占めさせることができ、それによって望ましくは、その刺激に対する性器との直接接触を提供するために容器１０１内の開口部１０２を通る制限されたアクセスを有する扇状構造を形成する（図９Ｂなどを参照）。
【００５０】
刺激器具１１０の他の実施形態は図１０に示され、そこではモータ１１１は、スリーブ１１５を収容するように伸びる非オフセット軸１１４によって、電源１１２およびロータアセンブリ１１３に接続されている。スリーブ１１５は中空にすることができ、前記ロータが回転し始めると容器１１７内の開口部１１６を通って外側に向かって動くことができるが、止め具１１８によって軸１１４から完全に外れて動くこと防止することができる。また、軸１１４の端はスロット１１９から伸びることができ、それによって前記軸が回転するとスリーブ１１５が回転するが、刺激される解剖学的構造との衝撃があり次第、軸１１４をスロット１１９に沿って後退させる。
【００５１】
特定の好ましい実施形態において、軸が回転すると柔軟パッドが回転するが、刺激される解剖学的構造との衝撃があり次第、曲がるかまたは抵抗に移行するように、前記スリーブは軸の一体部分である柔軟パッドとして提供される。例えば発泡体、ＰＶＣ、ゴム、ポリプロピレン、ポリウレタン、またはそれのあらゆる組み合わせなど、あらゆる適切な材料を使用してこれらの柔軟パッドまたは上記の前記スリーブのうちのいずれかを形成することができる。図１０に示されるブリッスル１２０などの延長を各スリーブ上に形成して、最小抵抗で刺激される解剖学的構造に影響を与えるための柔軟性を提供することができる。
【００５２】
本発明の他の実施形態において、女性用コンドームは、図１１〜１３について下述するとおりに、ビキニのボトムまたは女性用下着の一体部分として提供することができ、それによって外フレームまたは固着装置の必要性を潜在的に取り除くかまたは減少させる。
【００５３】
図１３は、臍３、恥骨４、脚５、陰核６、尿道８、Ｇスポット１０、膀胱１２、膣１４、卵管１６、子宮１８、子宮内膜腔２０、頚部２２、円蓋後部２３および直腸２４の相対的位置を示す、女性の骨盤部２の断面図を図示する。本発明によるビキニ女性用コンドーム２２６の好ましい実施形態は、従来のビキニまたは女性用下着と同じ方法で女性の骨盤部２の周りで着用する。
【００５４】
図１１および１２でも図示されるとおりに、コンドーム２２６は、ビキニ女性用コンドーム２２６の覆い２２８の外側境界を定義するウエストバンド２２０、および上方脚バンド２２２および２２４を含む。女性によって適切に着用される場合にコンドーム２２６外部の流体がコンドーム２２６に容易に入ることができず、よって膣１４に容易に入り込むことできないように、バンド２２０、２２２および２２４は、コンドーム２２６の覆い２２８が骨盤部２周囲の女性の解剖学的構造にしっかりと接触できるようにするあらゆる所望の適切な形状で形成することができる。バンド２２０、２２２および２２４は、簡単に変形されるように十分な柔軟性を有するが、同様に女性の解剖学的構造との実質的に流体密封性の接触を維持するためのばね付勢を有するのに十分堅く弾性がある、ゴムまたはラテックスなどのあらゆる適切な弾性材料で形成することができる。覆い２２８は、例えばラテックス、合成ラテックス、ポリウレタン、熱可塑性エラストマーまたはネオプレンなど、バンド２２０、２２２および２２４によって作られる境界内の女性の解剖学的構造を覆うためのあらゆる適切な実質的に流体密封性の材料で形成することができる。前記バンドは前記女性用コンドームの一体部分とすることができるか、または前記覆いの周りに取り付けられて適切とすることができる。前記ビキニ女性用コンドームは、使用者の大腿部の周りのバンドを含まなくてもよいが、むしろ股部位で一般的な水着のように着用してもよい。
【００５５】
コンドーム２２６はまた、開口端２３４、閉鎖端２３６、および開口端２３４と閉鎖端２３６との間で縦方向に伸びる弾性の管状体部２３２を有するポーチ２３０も含む。ポーチ２３０は、浸漬、熱融着、縫合またはその他の周知の方法などのあらゆる適切な過程により、覆い２２８へのその開口端２３４で実質的に流体密封性の密閉によって組み込まれることができる。
【００５６】
図１〜４Ｃの管状部３２について上述のとおりに、ポーチ２３０の管状体部２３２は、天然ラテックス、ポリウレタン、熱可塑性エラストマー、または例えばネオプレンなどの合成ゴムなどのあらゆる適切な弾性膜材料から作ることができる。複数のふいご状渦巻または襞２３８は望ましくは、管状体部２３２の長さに沿って形成されてポーチ２３０の弾性を増加させることができる一方で、性交中に刺激を陰茎に提供して膣１４の壁へのポーチ２３０の適合性を可能にもする。渦巻２３８は望ましくは円形であり、ばね様方法で働くよう形成され、それによってポーチ２３０が陰茎または同等物の挿入によって縦方向に伸長形状へと伸びると、ポーチ３０について上述のとおりに、縦方向でのばね様付勢により陰茎を引き抜いた後にポーチ２３０はその元の非延長構造に戻る。
【００５７】
上述の女性用コンドームと異なり、ビキニ女性用コンドーム２２６は望ましくは、下記により詳しく説明される理由により、女性の膣１４内のそのポーチの閉鎖端を保持するためのアンカーを必要としない。しかし、コンドーム２２６は望ましくは、閉鎖端２３６においてポーチ２３０の管状体部２３２内にクッション２４４を備えることができる。クッション２４４は、例えば図１〜４Ｃのクッション４４について上述のとおりに、あらゆる適切な圧縮性材料にすることができる。クッション２４４は、クッション４４（図４Ｂおよび４Ｃなどを参照）について上述のとおりに、陰茎の次の外側に向かった動きがあれば、陰茎の先端とポーチ２３０の閉鎖端２３６との間に最小の真空が生じるかまたは全く生じないように、性交のその内側に向かった動きの最中に陰茎の先端によって圧迫することができる。
【００５８】
ポリウレタンまたはラテックスなどのあらゆる適切な素材で作られる滑らかだが開口部を備えた薄膜被覆は、クッション２４４を覆って、クッション２４４との接触により結果として陰茎に生じる場合がある、起こり得る擦過傷を軽減または防止することができる。クッション２４４は望ましくは、ポーチ２３０の開口端２３４と向かい合うクッション２４４の外面に形成される挿入くぼみ２４６も有することができる。挿入くぼみ２４６は望ましくは、別の挿入具が必要とされないように、使用者の指を受け入れて膣１４内のコンドーム２２６の挿入を容易にするよう構成される（図１２および１３などを参照）。さらに、クッション２４４は、コンドーム２２６の膣１４内への挿入中に、または性交中に陰茎によって、使用者の指がポーチ２３０の閉鎖端２３６を誤って貫通しないことを保証することができる。
【００５９】
よって、図１２および１３に図示されるとおりに、ポーチ２３０の開口端２３４を通りかつ管状体部２３２の内側へと１本以上の指４８を挿入することによって、かつ矢印２４７の方向に膣１４の管の中へと閉鎖端２３６およびクッション２４４を押し込むことによって、および望ましくは回転させることによって、コンドーム２２６を膣１４内に挿入して図１２に図示されるとおりに位置付けることができる。膣１４内の流体５１（空気または天然の女性の分泌物など）が管状体部２３２の外側と膣１４の壁との間の通路２５２に沿って膣１４から、および望ましくはコンドーム２２６の内側から排出されるように、少なくとも１本の指４８の先端は、円蓋後部２３の近くの膣１４の管の端において頚部２２に向かって閉鎖端２３６を押すことができ、それによって下記でより詳しく説明するとおりに、膣１４の壁２５４と管状体部２３２の外側壁２５６との間で少なくとも部分的な真空を発生させ、膣１４内でコンドーム２２６の閉鎖端２３６を保持する。
【００６０】
膣１４からのこの流体の排除５１により、通路２５２内の圧力が低下し、その中に少なくとも部分的な真空を発生させる。この真空は、女性の解剖学的構造とコンドーム２２６との間の前記の実質的な流体密封性の密閉（バンド２２０、２２２および２２４による）と共同して矢印２４７の方向にポーチ２３０を膣１４内部に引っ張り、図１３に示すとおりに膣１４外部の女性の解剖学的構造に対して覆い２２８を引っ張り、それによって流体５１が膣１４に再進入することを防ぐ。よって、前記真空は、円蓋後部２３の近くの膣１４の管の端において閉鎖端２３６を保持するように維持される。
【００６１】
潤滑は望ましくは管状体部２３２の外側壁２５６上に提供され、膣１４の壁２５４との効果的な封止剤として働くことができ、それによって前記真空を維持する補助をする。図１〜４Ｃについて上述のとおりに、この目的であらゆる適切な潤滑を使用することができるが、潤滑の種類は望ましくは、管状体部２３２を形成するために使用される材料によって変わる。好ましい実施形態において、１つ以上の刺激装置（刺激器具７０、８０および／または９０など）は、コンドーム２６について上述のとおりに、コンドーム２２６に備えることができる。
【００６２】
閉鎖端２３６が膣１４の管の端に保持されると、同様にコンドーム２６のポーチ３０について上述のとおりに（図４Ｂおよび４Ｃなど参照）、コンドーム２２６のポーチ２３０の開口端２３４は陰茎を受け入れて性交を始めることができる。コンドーム２６のクッション４４のように、コンドーム２２６のクッション２４４は望ましくは、陰茎の外側に向かった動きの最中に陰茎の先端とコンドーム２２６の閉鎖端２３６との間に陰圧が発生するのを防ぎ、そのような圧力は膣１４内への閉鎖端２３６の挿入によって生じる真空を圧倒し、よってその保持状態から閉鎖端２３６を解放する可能性がある。
【００６３】
本発明の前記女性用コンドームの製造方法は、ばねの形成および刺激器具袋をそれぞれ順に定義するその上の渦巻３０６および袋３０８を望ましくは定義するための、伸長円筒型部３０２およびその一方の端における外面３０４を有する金型３００（図１４などを参照）を提供するステップを含む。次に、前記方法は望ましくは、金型３００を液体エラストマー材料に浸漬して第一ばね作用を有する薄弾性膜を形成するステップ、および開口端（端３４など）、閉鎖端（端３６など）、およびその間で形成されて縦方向に伸びる管状体部（部分３２など）を有するポーチ（ポーチ３０など）を形成するステップを含む。望ましくは、前記金型によって形成される前記膜はまた、前記エラストマー材料の弾性とは独立してばね運動を生じさせる、閉鎖端に隣接する管状壁の形状を一体的に成す金型３００上の渦巻３０６の形状に成形される渦巻（渦巻３８など）も含む。
【００６４】
上述する前記女性用コンドームの発明の実施形態と一致して、前記方法は、ここでその実体において参照することにより本書に組みこまれるＡｌｌａらの米国特許６，０００，３９８で説明されているとおりに、ばね形成を定義するらせん状外面を有する渦巻を備える金型、第二の一連の円周間隔表面区切りから軸方向に間隔をあけられてばね形成を形成する一連の円周間隔表面区切りを備える金型、金型の円周の反対側でねじれ形にされてばね形成を形成する弓状区切りとして形成される円周間隔表面区切りを備える金型、金型の長さに沿ったねじれ位置における金型の円周の反対側でねじれ形にされてばね形成を形成する円周間隔表面区切りを備える金型、および金型の先端の周りで形成される一連の正弦曲線形状を形成してばね形成を形成する表面渦巻を備える金型という、以上の構成のうちいずれかを有する金型を提供するステップも検討する。
【００６５】
金型３００を前記液体エラストマー材料に浸漬して、上述のとおりに第一ばね作用およびポーチを有する前記薄弾性膜を形成した後、金型３００およびその薄弾性膜は望ましくは、乾燥され、再浸漬され、加硫処理され、リン酸三ナトリウム槽内で浸出され、そしてはぎ取られる。前記女性用コンドームの結果として生じる湿潤ポーチは望ましくは、洗浄機に投入して例えばシリコーン・エマルジョンおよびコーンスターチまたは炭酸マグネシウムを含む溶液で約１時間洗浄される。前記女性用コンドームの前記洗浄済みポーチは、望ましくは別の乾燥機で後処理される。前記乾燥済みポーチは、微小ピンホールおよび弱い所が電子的に拒否されるように、従来の乾式または湿式試験装置でその拡張構造において試験される。
【００６６】
次に、望ましくは三角形に医療グレードのポリ塩化ビニルで作られるフレーム（フレーム２８など）は、前記ポーチの前記薄弾性膜が望ましくは前記フレームの周りを少なくとも３度回転されるように、簡素な回転塗布式操作によって前記ポーチの開口端に取り付けられる。
【００６７】
次に、所望の形状に切られる保持アンカー（アンカー４０など）は、機械的またはその他周知の手段によって前記ポーチの閉鎖端および前記ポーチ外部に取り付けられる。それから所望の形状に切られるクッション（クッション４４など）は心棒の端に設置される。そして前記ポーチは、前記クッションが機械的またはその他周知の手段によって前記ポーチの閉鎖端および前記ポーチ内部で係止されるように、前記心棒上で伸長される。前記ポーチは、前記クッションが前記ポーチ内部でその閉鎖端において埋め込まれたままとなるように、前記心棒から静かに取り外される。
【００６８】
金型３００に１つ以上の袋３０８が備えられた場合は、それによって前記ポーチ内に形成される前記袋（袋７８など）は、そのような刺激器具が前記女性用コンドームとともに包装されるのであれば、その中に挿入される刺激器具（刺激器具７００、８００および／または９００など）を有することができる。金型３００に袋３０８が備えらなかった場合は、そのような刺激器具が前記女性用コンドームとともに包装されるのであれば、１つ以上の刺激器具は前記ポーチに、機械的に固定、接着、またはその他周知の手段で連結される。他の実施形態において、様々な刺激器具を、本発明の前記女性用コンドームとの使用のために使用者に別々に提供することができる。
【００６９】
最後に、本発明の好ましい方法によると、前記女性用コンドームは、望ましくは長方形のラミネート加工アルミホイル包装容器に詰められる。例えば０．５立法センチメートルのシリコーン油潤滑剤などの潤滑は望ましくは、前記包装容器を密封する直前に前記ポーチの各側面（つまり管状体部の内側および外側）に滴らせることができる。
【００７０】
図１５は、包装またはキット１０００で提供される本発明の女性用コンドーム４００を図示する。キット１０００は、１種類以上の流体５００および１セット以上の使用説明書６００を含むことができる。図１〜４Ｃについて上述のとおりに、流体５００はあらゆる潤滑、および例えば製造後に特定の時間の間使用されない場合に、コンドーム４００の機能性および無菌性を維持することができるその他の流体を含むことができる。使用説明書６００は、使用者に前記女性用コンドーム４００に適切にアクセスして使用する方法を教えるあらゆる書面および／または図式情報にすることができる。キット１０００は、使用者によるその使用の前にその内容物との関係を維持する密封袋またはラミネート加工アルミホイルなどの容器にすることができる。
【００７１】
よって、ポーチおよび性交中に膣内で前記ポーチを保持するためのアンカーを有する女性用コンドームが提供されているといえる。注記すべきは、上述のとおりの前記ポーチ、アンカー、フレームおよび刺激器具の形状および大きさは模範的に過ぎないことである。本技術に精通した者は、本発明が制限ではなく図示の目的で提示されている説明済みの実施形態以外によって実践することができ、および本発明が下記の請求項によってのみ制限されることを理解する。
【図面の簡単な説明】
【００７２】
本発明の上記およびその他の利益は、添付図面と併せて以下の詳細な説明を検討することにより、より明らかになる。なお添付図面において、同様の参照文字は、全体を通して同様の部分を示す。図面は以下のとおりである。
【図１】図１は、本発明による女性用コンドームの一実施形態が挿入された状態を示す、女性の骨盤部の部分断面図である。
【図２Ａ】図２Ａは、図１のライン２Ａ−２Ａから取った、図１の女性用コンドームの正面図であるが、骨盤部は省略されている。
【図２Ｂ】図２Ｂは、図２Ａのライン２Ｂ−２Ｂから取った、最初の収縮形状にある、図１および２Ａの女性用コンドームの部分断面図である。
【図２Ｃ】図２Ｃは、図２Ｂと類似であるが、伸長状態にある、図１〜２Ｂの女性用コンドームの部分断面図である。
【図３】図３は、本発明による、図１の骨盤部へのコンドームの挿入手順の段階における、図１〜２Ｃの女性用コンドームの部分断面図である。
【図４Ａ】図４Ａは、図３のライン４Ａ−４Ａから取った、図３の挿入手順の段階における、図１〜３の女性用コンドームの部分断面図である。
【図４Ｂ】図４Ｂは、図４Ａと類似であるが、本発明による、図１、３、および４Ａの骨盤部内での使用の第一段階における、図１〜４Ａの女性用コンドームの部分断面図である。
【図４Ｃ】図４Ｃは、図４Ａおよび４Ｂを類似であるが、本発明による、図１および３〜４Ｂの骨盤部内での使用の第二段階における、図１〜４Ｂの女性用コンドームの部分断面図である。
【図５Ａ】図５Ａは、図２Ｃのライン５Ａ−５Ａから取った、図１〜４Ｃの女性用コンドームの背面図であり、本発明による刺激器具連結器の第１の実施形態を図解している。
【図５Ｂ】図５Ｂは、図５Ａのライン５Ｂ−５Ｂから取った、図１〜５Ａの女性用コンドームの部分断面図である。
【図６Ａ】図６Ａは、図２Ｃのライン６Ａ−６Ａから取った、図１〜４Ｃの女性用コンドームの背面図であり、本発明による刺激器具連結器の第２の実施形態を図解している。
【図６Ｂ】図６Ｂは、図６Ａのライン６Ｂ−６Ｂから取った、図１〜４Ｃおよび６Ａの女性用コンドームの部分断面図である。
【図７Ａ】図７Ａは、図２Ｃのライン７Ａ−７Ａから取った、図１〜４Ｃの女性用コンドームの背面図であり、本発明による刺激器具連結器の第３の実施形態を図解している。
【図７Ｂ】図７Ｂは、図７Ａのライン７Ｂ−７Ｂから取った、図１〜４Ｃおよび７Ａの女性用コンドームの部分断面図である。
【図８Ａ】図８Ａは、図２Ｃのライン８Ａ−８Ａから取った、図１〜４Ｃの女性用コンドームの背面図であり、本発明による、初期連結段階における、刺激器具連結器の第４の実施形態を図解している。
【図８Ｂ】図８Ｂは、図８Ａのライン８Ｂ−８Ｂから取った、図８Ａの初期連結段階における、図１〜４Ｃおよび８Ａの女性用コンドームの部分断面図である。
【図８Ｃ】図８Ｃは、図８Ｂと類似であるが、本発明による、次の連結段階における、図１〜４Ｃ、８Ａ、および８Ｂの女性用コンドームの部分断面図である。
【図９Ａ】図９Ａは、本発明による刺激器具の第１の実施形態の部分断面図である。
【図９Ｂ】図９Ｂは、図９Ａのライン９Ｂ−９Ｂから取った、図９Ａの刺激器具の部分断面図である。
【図１０】図１０は、図９Ａを類似の、本発明による刺激器具の第２の実施形態の部分断面図である。
【図１１】図１１は、本発明による、コンドームの骨盤部への挿入手順の前の段階における、女性用コンドームの第２の実施形態を装備した、図１および３〜４Ｃの骨盤部の正面図である。
【図１２】図１２は、本発明による、コンドームの図１、３〜４Ｃおよび１１の骨盤部への挿入手順の段階における、図１１の女性用コンドームの部分断面透視図である。
【図１３】図１３は、図１１のライン１３−１３から取った、図１１および１２の女性用コンドームの部分断面図であり、図１１の挿入手順の段階前におけるコンドームのポーチ部を破線で示し、図１２の挿入手順の段階におけるコンドームのポーチ部を実線で示している。
【図１４】図１４は、本発明による方法を実施するための鋳型の一実施形態の側面図である。
【図１５】図１５は、本発明による、女性用コンドームを組み込むキットの例の簡略化したブロック図である。
【図１】
2008534070.tif 000003
【図２Ａ】
2008534070.tif 000004
【図２Ｂ】
2008534070.tif 000005
【図２Ｃ】
2008534070.tif 000006
【図３】
2008534070.tif 000007
【図４Ａ】
2008534070.tif 000008
【図４Ｂ】
2008534070.tif 000009
【図４Ｃ】
2008534070.tif 000010
【図５Ａ】
2008534070.tif 000011
【図５Ｂ】
2008534070.tif 000012
【図６Ａ】
2008534070.tif 000013
【図６Ｂ】
2008534070.tif 000014
【図７Ａ】
2008534070.tif 000015
【図７Ｂ】
2008534070.tif 000016
【図８Ａ】
2008534070.tif 000017
【図８Ｂ】
2008534070.tif 000018
【図８Ｃ】
2008534070.tif 000019
【図９Ａ】
2008534070.tif 000020
【図９Ｂ】
2008534070.tif 000021
【図１０】
2008534070.tif 000022
【図１１】
2008534070.tif 000023
【図１２】
2008534070.tif 000024
【図１３】
2008534070.tif 000025
【図１４】
2008534070.tif 000026
【図１５】
2008534070.tif 000027
【国際調査報告】
2008534070.tif 000028
2008534070.tif 000029
2008534070.tif 000030
2008534070.tif 000031